(57)【要約】【課題】軽量で施行工事が容易に行なえて安価で、且つ、栽培管理作業や収穫作業が容易に行なえる養液栽培装置を得ることを課題とする。【解決手段】複数の支柱２０ａと補強用の斜め支持材２０ｂ・２０ｃにて構成した高設架台２０上に水耕ベッド２１を載置した養液栽培装置において、高設架台２０の長手方向に左右支柱２０ａを所定間隔をあけて立設し、該左右支柱２０ａ間には補強用の斜め支持材２０ｂを固定すると共に、高設架台２０の長手方向に所定間隔をあけて立設した支柱２０ａ間には、補強用の斜め支持材２０ｃを固定した部位と補強用の斜め支持材２０ｃを設けない部位とを構成した養液栽培装置としたものである。【選択図】図６
2008029288.tif 000002
【特許請求の範囲】
【請求項１】
複数の支柱（２０ａ）と補強用の斜め支持材（２０ｂ・２０ｃ）にて構成した高設架台（２０）上に水耕ベッド（２１）を載置した養液栽培装置において、高設架台（２０）の長手方向に左右支柱（２０ａ）を所定間隔をあけて立設し、該左右支柱（２０ａ）間には補強用の斜め支持材（２０ｂ）を固定すると共に、高設架台（２０）の長手方向に所定間隔をあけて立設した支柱（２０ａ）間には、補強用の斜め支持材（２０ｃ）を固定した部位と補強用の斜め支持材（２０ｃ）を設けない部位とを構成したことを特徴とする養液栽培装置。
【請求項２】
請求項２記載の発明は、支柱（２０ａ）をパイプ材で構成し、補強用の斜め支持材（２０ｂ・２０ｃ）をパイプ材または板材にて構成したことを特徴とする請求項１記載の養液栽培装置。
【発明の詳細な説明】
【技術分野】
【０００１】
本発明は、苺等の作物を栽培する栽培装置に関するものである。
【背景技術】
【０００２】
苺の栽培装置で、ハウス内に栽培装置を多数列配置したものがある。
【特許文献１】特開２００１−１４５４１２号公報
【発明の開示】
【発明が解決しようとする課題】
【０００３】
上記の栽培装置は、水耕用ベッドをある程度の高さに配置して、栽培管理作業や収穫作業を行い易いようにする工夫がなされている。然しながら、上記の栽培装置は水耕ベッドを支える支柱を非常に強度のあるものにしておかないと、非常に長い栽培装置を支持できず高価な装置になっていた。また、ハウス内に多数の栽培装置を列状に並べて配置した際には、容易に一つの栽培装置から隣の栽培装置に行くことができて、作業性の良い施設が要望される。
【課題を解決するための手段】
【０００４】
請求項１記載の発明は、複数の支柱２０ａと補強用の斜め支持材２０ｂ・２０ｃにて構成した高設架台２０上に水耕ベッド２１を載置した養液栽培装置において、高設架台２０の長手方向に左右支柱２０ａを所定間隔をあけて立設し、該左右支柱２０ａ間には補強用の斜め支持材２０ｂを固定すると共に、高設架台２０の長手方向に所定間隔をあけて立設した支柱２０ａ間には、補強用の斜め支持材２０ｃを固定した部位と補強用の斜め支持材２０ｃを設けない部位とを構成した養液栽培装置としたものである。
【０００５】
従って、高設架台２０は複数の支柱２０ａと補強用の斜め支持材２０ｂ・２０ｃにて構成したので、軽量で施行工事が容易に行なえ、且つ、安価な養液栽培装置を得ることができる。また、高設架台２０の長手方向に左右支柱２０ａを所定間隔をあけて立設し、該左右支柱２０ａ間には補強用の斜め支持材２０ｂを固定すると共に、高設架台２０の長手方向に所定間隔をあけて立設した支柱２０ａ間には、補強用の斜め支持材２０ｃを固定した部位と補強用の斜め支持材２０ｃを設けない部位とを構成したので、高設架台２０の養液栽培装置を支持する強度を確保しながら、高設架台２０の長手方向に所定間隔をあけて立設した支柱２０ａ間の補強用の斜め支持材２０ｃを設けない部位を通って、隣接する養液栽培装置に容易に移動できて、栽培管理作業や収穫作業が容易に行なえる。
【０００６】
請求項２記載の発明は、支柱２０ａをパイプ材で構成し、補強用の斜め支持材２０ｂ・２０ｃをパイプ材または板材にて構成した請求項１記載の養液栽培装置としたものである。
【０００７】
従って、複数の支柱２０ａ及び補強用の斜め支持材２０ｂ・２０ｃは、更に軽量となり、更に施行工事が容易に行なえ、且つ、更に安価な養液栽培装置を得ることができる。
【発明の効果】
【０００８】
本発明の養液栽培装置によれば、軽量で施行工事が容易に行なえ、且つ、安価な養液栽培装置を得ることができる。また、高設架台２０の養液栽培装置を支持する強度を確保しながら、高設架台２０の長手方向に所定間隔をあけて立設した支柱２０ａ間の補強用の斜め支持材２０ｃを設けない部位を通って、隣接する養液栽培装置に容易に移動できて、栽培管理作業や収穫作業が容易に行なえる。
【発明を実施するための最良の形態】
【０００９】
本発明の一実施の形態を図面に基づいて、詳細に説明する。
【実施例１】
【００１０】
養液育苗ハウス1ａ内に、苺の親株Ａから伸びたランナーから発生した子株を育苗する育苗装置２を設け、養液栽培ハウス1ｂ内に、苺の養液栽培装置３が設けられている。
育苗装置２は、正面視で台形状に枠組した支持枠４に目抜き鋼板（多数の孔が開いている鋼板）よりなる載置台５…を６段固定し、最上段の載置台５上に苺の親株用プランター６…が一列に多数載置されている。そして、上から２段目〜６段面の載置台５…の各々の左右内端部にビニール製の内径が６〜９ｃｍの育苗用ポット７（底面には給水及び排水用の孔があいている）を多数収納できる子株用トイ８ａ，８ｂ，８ｃ，８ｄ，８ｅを並べて載置している。
【００１１】
また、子株用トイ８ａ，８ｂ，８ｃ，８ｄ，８ｅの各内部底には、樹脂製の波板をその溝部が各子株用トイ８ａ，８ｂ，８ｃ，８ｄ，８ｅの長手方向に向くようにして敷かれており、その波板の上に育苗用ポット７を並べて載置している。従って、各子株用トイ８ａ，８ｂ，８ｃ，８ｄ，８ｅの長手方向の片側から入れられた水は、スムーズに他方に流れて、子株用トイ８ａ，８ｂ，８ｃ，８ｄ，８ｅへの底面灌水（給水）が良好に行なわれる。更に、底面灌水を終えて、各子株用トイ８ａ，８ｂ，８ｃ，８ｄ，８ｅ内の水を排水した時には、各育苗用ポット７は波板の凸部に載っているので、各育苗用ポット７底面は水から確実に離れて水切れが良い。従って、各育苗用ポット７の苗は、良好な底面灌水と水切り（苗を水切れ状態にする）が定期的に確実に行なえて良好に成育する。
【００１２】
９は苺の親株Ａに点滴灌水する為の小さな灌水孔を多数設けた灌水パイプであり、一列に並べられた親株用プランター６…の上面に沿って配置して設けてあり、養液栽培ハウス1内の土中に埋設された給水配管１０より第１給水管１１にて液肥入りの水(養液)が給水されて、一列に並べられた親株用プランター６…内に植えられた苺の各親株Ａに養液を灌水するように構成されている。
【００１３】
１２は最上段の載置台５の下方に配置された排水用トイであって、各親株用プランター６…の底面に設けられた排水孔から排水される排出養液を受けて、第１排水管１３にて排水配管１４に使用済み養液を排水する構成となっている。
【００１４】
１５は子株用トイ８ａ…の各々に養液を給水する第２給水管であって、基部は給水配管１０に連結され、各出水部１５ａ…は各子株用トイ８ａ…内に臨んで設けられている。尚、１５ｂ…は、各子株用トイ８ａ…への養液を給水したり停止したりする為の給水バルブである。
【００１５】
１６は分岐した先端部１６ａ…が各子株用トイ８ａ…の底面に連結され使用済みの養液を排水する第２排水管であって、基部は排水配管１４に連結され、各子株用トイ８ａ…の使用済みの養液を排水するように設けられている。
【００１６】
また、育苗装置２は長手方向において、給水側と排水側とで少し水勾配をつけてあり、即ち、排水側が少し低くなるようにしてある。そして、各子株用トイ８ａ…の排水側には、子株用トイ８ａから給水時にオーバーフローした水が下方の子株用トイ８ｂ内に流れ込むオーバーフロー用配管１３ａ，子株用トイ８ｂから給水時にオーバーフローした水が下方の子株用トイ８ｃ内に流れ込むオーバーフロー用配管１３ｂ，子株用トイ８ｃから給水時にオーバーフローした水が下方の子株用トイ８ｄ内に流れ込むオーバーフロー用配管１３ｃ，子株用トイ８ｄから給水時にオーバーフローした水が下方の子株用トイ８ｅ内に流れ込むオーバーフロー用配管１３ｄが配管されており、各子株用トイ８ａ…への給水量の調節が仮に適正にされていなくても、各子株用トイ８ａ…には給水が早く行なわれるようになっている。
【００１７】
更に、給水配管１０から第２給水管１５を介して各出水部１５ａ…より各子株用トイ８ａ…内に供給する水の量に対して、第２排水管１６にて各子株用トイ８ａ…内の水を排水する量が極端に少なくなるように、各給水バルブ１５ｂ…及び排水バルブを調節しており、各子株用トイ８ａ…への給水は早く行なわれる。
【００１８】
一方、上記の実施例では、各子株用トイ８ａ…は一体成型したトイの例を示したが、例えば、１０分割ぐらいの長さに分割及び組立てできる構成として、内部に水漏れ防止用のビニールシートを敷いて構成しても良い。このように、分割式とした場合には、育苗後に各子株用トイ８ａ…内に育苗用ポット７を載置したまま分割して、そのまま養液栽培ハウス1ｂ内の苺の養液栽培装置３まで運び、養液栽培装置３に各苗を移植すれば、移植作業が能率よく行なえる。また、各子株用トイ８ａ…内部に水漏れ防止用のビニールシートを敷く方法であると、育苗装置２の施行工事も容易で早く行なえて、安価にできる。更に、このビニールシートを白色にて構成し、各子株用トイ８ａ…の左右外側に垂らした構成とすると、この左右外側に垂らしたビニールシートが苺苗のランナーのガイドとしての機能を持つと共に、ビニールシートは白色であるから太陽の熱等で熱くなり難くて、ランナーを熱で傷めることも防止でき、良好な苗の育苗が行なえる。
【００１９】
ここで、上記育苗装置２で苺の親株Ａから伸びたランナーから発生した子株を育苗する方法を説明する。
先ず、各親株用プランター６…内に細粒状のロックウールを栽培用床として充填し、苺の親株Ａを２列に植える。そして、各子株用トイ８ａ…内には、内部に細粒状のロックウールを育苗用床として充填した育苗用ポット７…を密着状にして並べて載置する。
【００２０】
そして、灌水パイプ９にて各苺の親株Ａに養液を点滴灌水し、使用済み養液は排水用トイ１２で受けて第１排水管１３にて排水配管１４に排水して、育苗する。この時点では、各子株用トイ８ａ…に対応する給水バルブ１５ｂ…は、全て閉じておく。
【００２１】
苺の親株Ａを育苗すると、やがてランナーが伸びてその先端に第１番目の子株ａ１ができる。そこで、その子株ａ１を２段目の載置台上の子株用トイ８ａ内の育苗用ポット７に植える。そして、２段目の載置台上の子株用トイ８ａへの養液給水をする為に２段目の載置台上の子株用トイ８ａに対応する給水バルブ１５ｂを開け、各親株Ａと同時に２段目の載置台上の子株用トイ８ａ内の育苗用ポット７に植えられた子株ａ１にも養液を給水し、育苗する。尚、子株用トイ８ａ内に養液を給水すると、養液は、育苗用ポット７の底面に開けた孔から育苗用ポット７内部に入り込み育苗用床（細粒状のロックウール）に植えられた子株ａ１は養液を吸収して成長する。そして、使用済み養液は、第２排水管１６にて排水配管１４に排水される。
【００２２】
このようにして、親株Ａと子株ａ１を育苗すると、今度は、子株ａ１からランナーが伸びてその先端に第２番目の子株ａ２ができる。そこで、その子株ａ２を３段目の載置台上の子株用トイ８ｂ内の育苗用ポット７に植える。そして、３段目の載置台上の子株用トイ８ｂへの養液給水をする為に３段目の載置台上の子株用トイ８ｂに対応する給水バルブ１５ｂを開け、各親株Ａ・子株ａ１と同時に３段目の載置台上の子株用トイ８ｂ内の育苗用ポット７に植えられた子株ａ２にも養液を給水し、育苗する。
【００２３】
次に、親株Ａ・子株ａ１・ａ２を育苗すると、今度は、子株ａ２からランナーが伸びてその先端に第３番目の子株ａ３ができる。そこで、その子株ａ３を４段目の載置台上の子株用トイ８ｃ内の育苗用ポット７に植える。そして、４段目の載置台上の子株用トイ８ｃへの養液給水をする為に４段目の載置台上の子株用トイ８ｃに対応する給水バルブ１５ｂを開け、各親株Ａ・子株ａ１・ａ２と同時に４段目の載置台上の子株用トイ８ｃ内の育苗用ポット７に植えられた子株ａ３にも養液を給水し、育苗する。
【００２４】
次に、親株Ａ・子株ａ１・ａ２・ａ３を育苗すると、今度は、子株ａ３からランナーが伸びてその先端に第４番目の子株ａ４ができる。そこで、その子株ａ４を５段目の載置台上の子株用トイ８ｄ内の育苗用ポット７に植える。そして、５段目の載置台上の子株用トイ８ｄへの養液給水をする為に５段目の載置台上の子株用トイ８ｄに対応する給水バルブ１５ｂを開け、各親株Ａ・子株ａ１・ａ２・ａ３と同時に５段目の載置台上の子株用トイ８ｄ内の育苗用ポット７に植えられた子株ａ４にも養液を給水し、育苗する。
【００２５】
次に、親株Ａ・子株ａ１・ａ２・ａ３・ａ４を育苗すると、今度は、子株ａ４からランナーが伸びてその先端に第５番目の子株ａ５ができる。そこで、その子株ａ５を６段目の載置台上の子株用トイ８ｅ内の育苗用ポット７に植える。そして、６段目の載置台上の子株用トイ８ｅへの養液給水をする為に６段目の載置台上の子株用トイ８ｅに対応する給水バルブ１５ｂを開け、各親株Ａ・子株ａ１・ａ２・ａ３・ａ４と同時に６段目の載置台上の子株用トイ８ｅ内の育苗用ポット７に植えられた子株ａ５にも養液を給水し、育苗する。
【００２６】
このようにして、子株から順次発生していくランナー先端の子株を育苗用ポット７に植えて育苗する。
そして、一つの親株から４〜５本のランナーを伸ばして、１本のランナーに４〜５個の子株がつくようにして、育苗する。即ち、一つの親株で１６個〜２５個の子株を発生させて育苗すると、良質の子株の育成が行なえる。
【００２７】
そして、成育した子株は、ランナーを切って、育苗用ポット７ごと子株用トイ８ａ（８ｂ，８ｃ，８ｄ，８ｅ）から取出して、後述の養液栽培装置３に持って行き、子株を育苗用ポット７から育苗用床（細粒状のロックウール）ごと取出し、そのまま養液栽培装置３の栽培培地に植える。従って、子株の根が育苗用床（細粒状のロックウール）にある状態のままで養液栽培装置３の栽培培地に植えることができるので、子株の根を傷めることがなく、子株の苗質が良いので、以後の苺栽培が良好に行なえて、良質の苺の収穫が行なえ、一株当りの収穫量も増加する。
【００２８】
次に、養液栽培装置３について説明する。
パイプ材にて構成された高設架台２０が、養液栽培ハウス1内に、作業者が栽培作業（苗に対する点検や防除や収穫等の各種作業）を行ないながら歩行できる間隔をあけて、複数列設けられている。
【００２９】
そして、高設架台２０は、養液栽培装置３の長手方向に所定間隔をおいて左右支柱２０ａを立て、左右支柱２０ａ間は補強用の斜め支持材２０ｂをＸ状に固定し、左右最外側部の長手方向に所定間隔をおいて立てた支柱２０ａ間には補強用の斜め支持材２０ｃを固定して構成している。従って、高設架台２０の長手方向の中央部の支柱２０ａ間には補強用の斜め支持材２０ｃが設けられていないので、栽培及び収穫作業を行なう作業者は、高設架台２０の斜め支持材２０ｃが設けられていない部分を潜って通って、隣の高設架台２０に容易に移動でき、作業性が良い。尚、高設架台２０の長手方向の支柱２０ａ間に設ける補強用の斜め支持材２０ｃは中央部に設けても良いが、高設架台２０を潜って通って隣の高設架台２０に容易に移動できるように、数箇所は補強用の斜め支持材２０ｃを設けない部分を構成しておく（一つ置きに補強用の斜め支持材２０ｃを設ければ、強度面にても優れており、作業性も良い）。
【００３０】
各高設架台２０上には発砲スチロールよりなる水耕ベッド２１を載置し、該水耕ベッド２１の凹部２２内に不織布よりなる水耕シート２３を敷き、その上に根切りシート２４（細かい目あいの樹脂製網状ネット）を敷いてその中に細粒状のロックウールよりなる栽培培地２５を充填している。
【００３１】
そして、水耕ベッド２１の凹部２２内の側壁部に所定間隔をあけて、板状の水耕シート受け部材２６…を配設している。該水耕シート受け部材２６は図に示すように上部が緩やかな円弧面を形成する構成となっており、水耕ベッド２１の左右両側より垂れ下がるように設けた水耕シート２３を下方より受けて、該水耕シート２３が緩やかな円弧状面を形成するように作用する。
【００３２】
２７は栽培培地２５上面に配置されたビニール製の灌水用パイプであって、所定間隔に小さな孔が形成されており、栽培培地２５に２列に植えられた苺の苗に養液を灌水する構成となっている。そして、灌水用パイプ２７の基部側は、土中に埋設された灌水用給水パイプ２７ａに連結されており、その基部側に供給量調節用のバルブ２７ｂが設けられている。また、灌水用パイプ２７の末端側は、閉塞されており、ロープ２７ｃにて高設架台２０に縛ってある。末端側をロープ２７ｃにて高設架台２０に縛ってある理由は、ハウス内の温度はかなりの高温になるので、ビニール製の灌水用パイプ２７は熱せられて熱膨張してその長さが長くなり、栽培培地２５上面で折れ曲がり所定の位置から大きくずれてしまうような事態を防止する為である。
【００３３】
苺の苗は苺がなる方向が決まっているので、水耕ベッド２１に苺の苗を植えるときに、苺が水耕ベッド２１の外側方に向けてなるように植える。
すると、苺は水耕ベッド２１の左右両外側に垂れ下がるようにして実る。この時、水耕シート受け部材２６にて水耕シート２３が下方より受けられて、水耕シート２３が緩やかな円弧状面を形成して水耕ベッド２１の左右両側で下方に垂れ下がっているので、苺のなっている茎は、この緩やかな円弧状面に受けられているから折れたり傷ついたりすることが防止されて、苺は良好に成育し良質の苺を収穫することができる。
【００３４】
２８は水耕ベッド２１の凹部２２左右中央部の底面部に設けた排水用の溝で、使用済みの養液を排水する為に設けられている。そして、排水用パイプ２８ａを介して土中に埋設された排水管２８ｂに排水される。
【００３５】
灌水用給水パイプ２７ａ及び排水管２８ｂは、養液栽培装置３の長手方向の同じ側に設けられており、配管工事が容易に行なえる構成となっている。即ち、複数列の養液栽培装置３の一側のみに灌水用給水パイプ２７ａ及び排水管２８ｂを配管すればよい。
【００３６】
２９は水耕ベッド２１の上面を覆う上部シートであって、栽培初期の暑い季節（外気温が高い季節）には外して栽培を行い、栽培途中の寒い季節（外気温が低い季節）になれば、水耕ベッド２１の上面を覆って栽培を行なえば、季節に応じた適切な苺栽培が行なえる。
【００３７】
以上の育苗装置２及び養液栽培装置３により、苺栽培する過程を総合して説明すると、前記育苗装置２で育成した良質の子株を育苗用ポット７から育苗用床（細粒状のロックウール）ごと取出し、そのまま養液栽培装置３の栽培培地に植える。従って、子株の根が育苗用床（細粒状のロックウール）にある状態のままで養液栽培装置３の栽培培地２５に植えられる。そして、灌水用パイプ２７にて苗に養液を灌水し、使用済みの養液は排水用の溝２８にて排水して苗を栽培する。すると、子株の根を傷めることがなく、子株の苗質が良いので、苺栽培が良好に行なえる。然も、苺は水耕ベッド２１の左右両外側に垂れ下がるようにして実り、水耕シート受け部材２６にて水耕シート２３が下方より受けられて、水耕シート２３が緩やかな円弧状面を形成して水耕ベッド２１の左右両側で下方に垂れ下がっているので、苺のなっている茎は、この緩やかな円弧状面に受けられているから折れたり傷ついたりすることが防止されて、苺は良好に成育し良質の苺を収穫することができ、一株当りの収穫量も増加する。
【００３８】
一方、養液育苗ハウス1ａ及び養液栽培ハウス1ｂ内の天井部位には、遮光カーテン６０が開閉自在に設けられている。そして、該遮光カーテン６０の下方には、ハウス内の空気を循環させて室温を均一にする循環ファン６１が設けられている。そして、特に、この実施例の養液栽培ハウス1においては、循環ファン６１による送風が遮光カーテン６０に直接当たらないように、遮光カーテン６０の下方に防風ネット６２が設けられている。従って、ハウス内の空気を循環させて室温を均一にする為に循環ファン６１にて送風しても、防風ネット６２により風は弱められるので、遮光カーテン６０に強い風が当たることが防止されて、遮光カーテン６０が風により破れたて破損することが防止できる。尚、遮光カーテン６０に風が当たらないように循環ファン６１の風を下方に向けることが考えられるが、風を下方に向けると、養液栽培装置３の苗に強い風が当たるので、苗の成育に支障をきたしてしまい良くない。
【００３９】
また、養液育苗ハウス1ａ及び養液栽培ハウス1ｂ内には、硫黄発生器で硫黄を熱してハウス内に硫黄のガスを発生させて防虫作用及び病気の発生防止を定期的におこなう。また、寒い季節なれば暖房機（ボイラー）でハウス内を暖めて苺苗の育成を助長したり、炭酸ガス発生器で炭酸ガスを発生させて苺苗の炭酸同化作用を促進させる。ところが、このハウス内を暖房機（ボイラー）で暖めたり、炭酸ガス発生器で炭酸ガスを発生させる時に、同時に、硫黄発生器でハウス内に硫黄のガスを発生させると、硫黄と炭酸ガスが化学反応をして、有毒ガスとなり作業者にとって非常に危険であるので、硫黄発生器が作動している間は暖房機（ボイラー）及び炭酸ガス発生器は作動しない構成としている。
【実施例２】
【００４０】
図１０は播種育苗施設の平面図を示し、７０は播種機であり、コンベアー７１上を搬送される育苗箱に搬送上手側から床土入れ装置７２で床土を入れ、播種装置７３で床土上面を均平にした後に播種し、灌水装置７４で灌水し、覆土装置７５で覆土し、その後、図示しない段積み装置で多段に育苗箱を重ねた後に、発芽室で発芽して、育苗緑化室で育苗する施設である。
【００４１】
７６は暖房用のボイラーであって、発芽室や育苗緑化室を暖房するものであり、ボイラー室７７内に設置されている。
７８は浸種コンテナ７９を載置するコンテナ室であって、水を入れた催芽槽に浸けて催芽させた種籾が入っている浸種コンテナ７９が複数個置かれている。
【００４２】
８０は集塵装置であって、前記床土入れ装置７２や覆土装置７５で育苗箱に土を入れる際に発生する土埃を集塵パイプ８１を介して吸って、排塵パイプ８２で施設外に排出し、施設内の土埃を取って綺麗にする装置である。
【００４３】
一方、コンテナ室７８の一側は、前記ボイラー室７７と第１ダクト８３にて連結されており、他側は集塵パイプ８１に設けた切換え弁８４と第２ダクト８５で連結されている。
従って、播種機７０にて播種作業を行なっている際には、切換え弁８４を切換えて、第２ダクト８５側を遮断して集塵パイプ８１を連通状態とする。従って、播種機７０にて播種作業を行なっている際には、集塵装置８０にて床土入れ装置７２や覆土装置７５で育苗箱に土を入れる際に発生する土埃を集塵パイプ８１を介して吸って、排塵パイプ８２で施設外に排出し、施設内の土埃を取って綺麗にして、作業者の播種作業環境を良くして良好な播種作業が行なえる。
【００４４】
また、播種機７０による播種作業を停止している際には、切換え弁８４を切換えて、集塵パイプ８１側を遮断して第２ダクト８５側を連通状態とする。すると、集塵装置８０にてボイラー室７７内の暖かくて乾燥した空気が第１ダクト８３を通ってコンテナ室７８の一側から流れ込み、他側から第２ダクト８５を通って排気される。従って、コンテナ室７８に載置された浸種コンテナ７９内の水に濡れた種籾の表面は播種装置７３にて適切に播種作業が行なえるように乾燥する。
【００４５】
よって、集塵装置８０により、施設内の集塵作用と浸種コンテナ７９内の種籾の適度な乾燥作業とが行なえて、安価で作業性の良好な播種育苗施設を得ることができる。
【図面の簡単な説明】
【００４６】
【図１】養液育苗ハウスの全体正面断面図である。
【図２】（ａ）は育苗装置の正面図、（ｂ）は背面図である。
【図３】育苗装置の側面図である。
【図４】（ａ）は育苗装置の平面図、（ｂ）は作用説明用平面図である。
【図５】養液栽培ハウスの全体正面断面図である。
【図６】養液栽培装置の側面図である。
【図７】養液栽培装置の正面図である。
【図８】（ａ）は養液栽培装置の栽培状態を示す正面図、（ｂ）は要部拡大図である。
【図９】養液栽培装置の栽培状態を示す正面図である。
【図１０】播種育苗施設の平面図である。
【符号の説明】
【００４７】
２０  高設架台
２０ａ  支柱
２０ｂ  補強用の斜め支持材
２０ｃ  補強用の斜め支持材
２１  水耕ベッド
【図１】
2008029288.tif 000003
【図２】
2008029288.tif 000004
【図３】
2008029288.tif 000005
【図４】
2008029288.tif 000006
【図５】
2008029288.tif 000007
【図６】
2008029288.tif 000008
【図７】
2008029288.tif 000009
【図８】
2008029288.tif 000010
【図９】
2008029288.tif 000011
【図１０】
2008029288.tif 000012